(57)【要約】【課題】省電力時においてユーザーが所望しない復帰要因の回路に供給する電力を遮断することで、ユーザーの使用形態に応じたさらなる省電力を図ることが可能なデジタル複合機を提供する。【解決手段】一部の回路のみ通電されている省電力状態から幾つかの復帰要因によって機器すべてに通電し立ち上がるデジタル複合機において、復帰要因を検知する復帰要因検知手段５、６、７別に設けられた電力遮断手段２１と、復帰要因検知手段別に関連付けられた電力供給禁止情報を記憶する記憶手段１４と、前記電力供給禁止情報の入力手段１と、上記電力供給禁止情報により、省電力時の復帰要因検知手段の電力を遮断する制御を行なうメイン制御手段４とを備えた。【選択図】　　　図１
2004023281.tif 000002
【特許請求の範囲】
【請求項１】
一部の回路のみ通電されている省電力状態から複数の復帰要因によって機器すべてに通電し起動するデジタル複合機において、前記復帰要因を検知する復帰要因検知手段別に設けられた電力遮断手段と、前記復帰要因検知手段別に関連付けられた電力供給禁止情報を記憶する記憶手段と、前記電力供給禁止情報の入力手段と、前記電力供給禁止情報により省電力時の復帰要因検知手段の電力を遮断する制御を行なうメイン制御手段と、を備えたことを特徴とするデジタル複合機。
【請求項２】
請求項１記載のデジタル複合機において、前記復帰要因検知手段は、ＦＡＸ受信検知部、プリント要求検知部、及び圧板開閉検知部であることを特徴とするデジタル複合機。
【発明の詳細な説明】
【０００１】
【発明の属する技術分野】
本発明は、複写機、プリンタ、ファックス等の複数の機能を有する電子写真方式のデジタル複合機に関し、特に省エネ技術に関するものである。
【０００２】
【従来の技術】
複写機のデジタル化によって本来のコピー機能のほかに複写機のリソース（スキャナや電子写真プロッタ）を使い、通信機能を組み合わせてＦＡＸ機能やプリンタ機能を併せ持つデジタル複合機が登場してきた。ＦＡＸ機能は機器が省電力状態においても着信を監視し、機器を復帰させるため回線通信部などの一部回路を通電している。
また、プリンタ機能においては、プリント要求で機器を復帰させるためＩ／Ｆ回路などの一部回路を通電している。さらに、コピー機能においても圧板開閉などのコピーを取ろうとする行為をいち早く検知し、機器を素早く復帰させるために圧板開閉検知回路のなど一部の回路に通電している。
【０００３】
【発明が解決しようとする課題】
省電力からの復帰は多くのユーザーにとっては便利なものとなるが、復帰要因を検知するため省電力時の消費電力が増えることになる。また、ユーザーの業務形態、機器の使用状況などの条件により、上述した機器の省電力からの立ち上がり検知はすべての場合に必要とは限らない。むしろ、電力を浪費しないことが望まれるケースもある。
例えば、ＦＡＸ受信の使用頻度は高いので復帰要因として必要だが、プリンタ使用頻度は低いので、使いたい時に操作にて機器を立ち上げる使い方をし、省電力時の電力をさらに低くしたい場合がある。またコピー機能は手動で、省電力時の電力を押さえたい場合もある。
そこで本発明は、省電力時においてユーザーが所望しない復帰要因の回路に供給する電力を遮断することで、ユーザーの使用形態に応じたさらなる省電力を図ることが可能なデジタル複合機を提供することを目的する。
【０００４】
【課題を解決するための手段】
上記目的を達成するために、請求項１記載の発明は、一部の回路のみ通電されている省電力状態から複数の復帰要因によって機器すべてに通電し起動するデジタル複合機において、前記復帰要因を検知する復帰要因検知手段別に設けられた電力遮断手段と、前記復帰要因検知手段別に関連付けられた電力供給禁止情報を記憶する記憶手段と、前記電力供給禁止情報の入力手段と、前記電力供給禁止情報により省電力時の復帰要因検知手段の電力を遮断する制御を行なうメイン制御手段と、を備えたことを特徴とする。
請求項２記載の発明は、請求項１記載のデジタル複合機において、復帰要因検知手段は、ＦＡＸ受信検知部、プリント要求検知部、及び圧板開閉検知部であることを特徴とする。
【０００５】
【発明の実施の形態】
以下、図面により本発明の実施の形態を詳細に説明する。図１は本発明の実施の形態に係るデジタル複合機の機能ブロック図である。図１において、操作部１は、操作キーおよび表示素子で構成される。この操作部１によりオペレータは動作モードの指定やデータの入力を行うことができる。さらに本例ではオペレータの押下操作により機器を省電力状態に移行させるためと、省電力状態から復帰させるための節電キー１−１を備えている。
スキャナ部２は、光源、ＣＣＤ等の固体撮像素子及びメカ機構等で構成され、読み取った画像を電気変換し画像信号にする。プロッタ部３は、電子写真方式を採用しておりスキャナ部２から送られてくる画像信号やＦＡＸ受信画像、プリンタ展開画像などの画像信号を転写紙に画像形成する。
【０００６】
メイン制御部４は、前述の操作部１、スキャナ部２、プロッタ部３の動作を制御する（また、本例では詳細を述べないが画像処理、画像メモリを有し、ソフトウェアによってＦＡＸ機能、プリンタ機能も実現している）。メイン制御部４はＯＦＦ信号０〜３を通じて遮断機２１―１〜２１−４をＯＦＦできる構成となっている。
本発明では、省電力時に電力供給をＯＦＦするユニット（スキャナ部２、プロッタ部３）と、省電力時の復帰要因を検知する復帰要因検知回路（復帰要因検知手段）別に遮断機２１が設けられており、これらをメイン制御部４で制御することで機器は省電力状態となる。但し、メイン制御部４には省電力状態であっても電力が供給される構成となっているので、省電力状態からの復帰要因を監視できる。メイン制御部４の詳細は図２を用いて後述する。
ＦＡＸ受信検知部５は、復帰要因検知回路の一つである。機器が省電力状態であり回路に電力が供給されている時は、ＦＡＸ受信時に復帰要因信号１をメイン制御部４に送る。
プリント要求検知部（プリンタデータ受信検知部）６は、復帰要因検知回路の一つである。機器が省電力状態であり回路に電力が供給されている時は、プリント要求の受信時に、プリント要求による復帰要因信号２をメイン制御部４に送る。
圧板開閉検知部７は、機器が省電力状態で回路に電力が供給されているとき、圧板開閉を検知し、復帰要因信号３をメイン制御部４に送る。ＰＳＵ８は、商用電源を各部に供給する。
【０００７】
図２は図１に示すメイン制御部の詳細ブロック図である。図２において、ＣＰＵ１１は、本実施形態のデジタル複合機の制御を実際に行う素子である。ＲＯＭ１２は、デジタル複合機全体を制御するプログラムおよび制御に必要なデータが格納されている。ＲＡＭ１３は、ＣＰＵ１１が制御上データや状態を一時的に記憶するために使用される。
不揮発性メモリ１４は、メイン制御部４の電源がＯＦＦしてもデータを保持することができ、本実施例はバッテリーバックアップされた不揮発ＲＡＭを使用している。不揮発性メモリ（不揮発ＲＡＭ）１４は、ユーザー入力の設定データなどの記憶に用い、復帰要因検知回路の電力供給禁止情報も記憶している。
Ｉ／Ｏポート１５を介してＣＰＵ１１は、制御対象の駆動やセンサ信号の検知を行い、操作部１、スキャナ部２、プロッタ部３の制御を行う。さらにＯＦＦ信号０〜３の出力および復帰要因信号１〜３の検知を行う。
その他、本例では図示していないが、メイン制御部４中に画像処理部、画像メモリを備えており、コピー画像処理や、ＦＡＸ送受信画像・プリンタ受信データの蓄積・展開などの処理を行う。
また、復帰要因検知回路に電力供給する、また電力供給しないの設定は操作部１を通じてオペレータが行い、設定内容を不揮発性メモリ１４に記憶する。図４に設定画面例を示す。図４はＦＡＸ受信の復帰は望むがプリント要求および圧板開閉は復帰要因として望まない例である。
【０００８】
続いて本発明の動作説明を行う。図３は本発明のデジタル複合機の省電力処理フローチャートである。ユーザーの節電キー１−１の押下や、一定時間操作されない場合などの条件で機器は省電力処理に移行する。はじめにＯＦＦ信号０を制御し遮断器０で電源を切り離すことで、スキャナ部２、プロッタ部３の電力をＯＦＦとする（Ｓ１）。続いて、メイン制御部４の不揮発性ＲＡＭ１４で記憶している復帰要因検知回路の電力供給禁止情報を確認し、ＦＡＸ受信検知部５の電力供給が禁止されていれば（Ｓ２でＹ）、ＯＦＦ信号１をＯＦＦとし（Ｓ３）、ＦＡＸ受信検知部５の電力供給を停止する。
電力供給が禁止されていなければ（Ｓ２でＮ）ＯＦＦ信号１をＯＮとし（Ｓ４）、受信データが無いか確認し（Ｓ５）、もし受信データがあれば省電力状態から復帰する（Ｓ６）。プリント要求検知部６および圧板開閉検知部７についてもＦＡＸ受信検知と同様の処理がなされる（Ｓ７〜Ｓ１４）。さらに、節電キー１−１が押され（Ｓ１５でＹ）、オペレータが省電力状態の解除を指示してないか確認する。以上の動作を復帰要因が検知できるまで続けることとなる。
上記説明した省電力処理を行うことで、不揮発ＲＡＭ１４が記憶している復帰要因検知回路の電力供給禁止情報によって、復帰要因検知回路の電源を遮断することができるので遮断数に応じたさらなる省電力が可能となる。また、復帰要因の必要に応じて電力供給を許可すれば、操作性が向上した機器として使用することも可能となる。
【０００９】
【発明の効果】
以上説明したように、本発明によれば、省電力状態からの復帰要因を検知する復帰要因検知手段別に電力遮断手段を備え、ユーザーにより入力可能な禁止情報により、省電力時の復帰要因検知手段の電力を供給するか否かを設定できるので、ユーザーの使用形態に応じたさらなる省電力のデジタル複合機を提供できる。
【図面の簡単な説明】
【図１】本発明の実施の形態に係るデジタル複合機の機能ブロック図である。
【図２】図１に示すメイン制御部の詳細ブロック図である。
【図３】本発明のデジタル複合機の省電力処理フローチャートである。
【図４】設定画面例を示す図である。
【符号の説明】
１　操作部（入力手段）
４　メイン制御部（メイン制御手段）
５　ＦＡＸ受信検知部（復帰要因検知手段）
６　プリント要求検知部（復帰要因検知手段）
７　圧板開閉検知部（復帰要因検知手段）
１４　不揮発性メモリ（記憶手段）
２１　遮断機（電力遮断手段）
【図１】
2004023281.tif 000003
【図２】
2004023281.tif 000004
【図３】
2004023281.tif 000005
【図４】
2004023281.tif 000006